(57)【要約】【課題】カメラとアクセサリ間の通信における消費電力を極力削減する。【解決手段】情報をアクセサリ装置に無線で送信する無線通信部１０４，１０５と、無線通信部の出力の大きさを変更する変更部１０８，１０９と、アクセサリ装置がカメラに装着されているか否かを検出する検出部１０６とを備え、検出部によりアクセサリ装置がカメラに装着されていることが検出された場合に、変更部により無線通信部の出力を小さく設定し、アクセサリ装置がカメラに装着されていないことが検出された場合に、変更部により無線通信部の出力を大きく設定する。【選択図】      図１
2005236376.tif 000002
【特許請求の範囲】
【請求項１】
情報をアクセサリ装置に無線で送信する無線通信手段と、
該無線通信手段の出力の大きさを変更する変更手段と、
前記アクセサリ装置がカメラに装着されているか否かを検出する検出手段とを備え、
該検出手段により前記アクセサリ装置がカメラに装着されていることが検出された場合に、前記変更手段により前記無線通信手段の出力を小さく設定し、前記アクセサリ装置がカメラに装着されていないことが検出された場合に、前記変更手段により前記無線通信手段の出力を大きく設定することを特徴とするカメラ。
【請求項２】
前記アクセサリ装置はストロボ装置であることを特徴とする請求項１に記載のカメラ。
【請求項３】
前記無線通信手段は、電波を用いて通信を行なうことを特徴とする請求項１に記載のカメラ。
【請求項４】
情報をカメラに無線で送信する無線通信手段と、
該無線通信手段の出力の大きさを変更する変更手段と、
アクセサリ装置が前記カメラに装着されているか否かを検出する検出手段とを備え、
該検出手段によりアクセサリ装置が前記カメラに装着されていることが検出された場合に、前記変更手段により前記無線通信手段の出力を小さく設定し、アクセサリ装置がカメラに装着されていないことが検出された場合に、前記変更手段により前記無線通信手段の出力を大きく設定することを特徴とするアクセサリ装置。
【請求項５】
前記アクセサリ装置はストロボ装置であることを特徴とする請求項４に記載のアクセサリ装置。
【請求項６】
前記無線通信手段は、電波を用いて通信を行なうことを特徴とする請求項４に記載のアクセサリ装置。
【請求項７】
情報をアクセサリ装置に無線で送信する第１の無線通信手段と、該第１の無線通信手段の出力の大きさを変更する第１の変更手段とを有するカメラと、
情報を前記カメラに無線で送信する第２の無線通信手段と、該第２の無線通信手段の出力の大きさを変更する第２の変更手段とを有するアクセサリ装置と、
前記カメラ及びアクセサリ装置の少なくとも一方に設けられ、前記アクセサリ装置が前記カメラに装着されているか否かを検出する検出手段とを備え、
該検出手段により前記アクセサリ装置が前記カメラに装着されていることが検出された場合に、前記第１の変更手段により前記第１の無線通信手段の出力を小さく設定すると共に前記第２の変更手段により前記第２の無線通信手段の出力を小さく設定し、前記アクセサリ装置が前記カメラに装着されていないことが検出された場合に、前記第１の変更手段により前記第１の無線通信手段の出力を大きく設定すると共に前記第２の変更手段により前記第２の無線通信手段の出力を大きく設定することを特徴とするカメラシステム。
【請求項８】
前記アクセサリ装置はストロボ装置であることを特徴とする請求項７に記載のカメラシステム。
【請求項９】
前記無線通信手段は、電波を用いて通信を行なうことを特徴とする請求項７に記載のカメラシステム。
【請求項１０】
カメラと該カメラに着脱可能なアクセサリ装置との間で無線で情報の通信を行なうシステムにおける情報通信方法であって、
前記アクセサリ装置が前記カメラに装着されているか否かを検出する検出工程と、
該検出工程において、前記アクセサリ装置が前記カメラに装着されていることが検出された場合に、前記通信のための信号の大きさを小さく設定し、前記アクセサリ装置が前記カメラに装着されていないことが検出された場合に、前記通信のための信号の大きさを大きく設定する設定工程と、
を具備することを特徴とする情報通信方法。
【請求項１１】
前記アクセサリ装置はストロボ装置であることを特徴とする請求項１０に記載の情報通信方法。
【請求項１２】
前記通信は、電波を用いて行なわれることを特徴とする請求項１０に記載の情報通信方法。
【請求項１３】
請求項１０に記載の情報通信方法をコンピュータに実行させることを特徴とするプログラム。
【請求項１４】
請求項１３に記載のプログラムをコンピュータ読み取り可能に記憶したことを特徴とする記憶媒体。
【発明の詳細な説明】
【技術分野】
【０００１】
本発明は、カメラとアクセサリ装置との間で無線で情報の通信を行なう技術に関するものである。
【背景技術】
【０００２】
従来よりカメラと無線信号によって通信をおこなうアクセサリが知られている。例えば特公昭６３−７７２号公報（特許文献１）には、電波信号により通信をおこなうワイヤレスストロボシステムが開示されている。
【特許文献１】特公昭６３−７７２号公報
【発明の開示】
【発明が解決しようとする課題】
【０００３】
しかしながら、従来のワイヤレスストロボシステムにおいてはアクセサリであるストロボ装置とカメラの位置関係に応じてワイヤレス通信手段の出力レベルを変化させるようなことはしておらず、ストロボ装置がカメラに装着されている状態では必要以上に大きな出力レベルで通信をおこなっており、無駄な電力を消費していた。
【０００４】
したがって、本発明は上述した課題に鑑みてなされたものであり、その目的は、カメラとアクセサリ間の通信における消費電力を極力削減することである。
【課題を解決するための手段】
【０００５】
上述した課題を解決し、目的を達成するために、本発明に係わるカメラは、情報をアクセサリ装置に無線で送信する無線通信手段と、該無線通信手段の出力の大きさを変更する変更手段と、前記アクセサリ装置がカメラに装着されているか否かを検出する検出手段とを備え、該検出手段により前記アクセサリ装置がカメラに装着されていることが検出された場合に、前記変更手段により前記無線通信手段の出力を小さく設定し、前記アクセサリ装置がカメラに装着されていないことが検出された場合に、前記変更手段により前記無線通信手段の出力を大きく設定することを特徴とする。
【０００６】
また、この発明に係わるカメラにおいて、前記アクセサリ装置はストロボ装置であることを特徴とする。
【０００７】
また、この発明に係わるカメラにおいて、前記無線通信手段は、電波を用いて通信を行なうことを特徴とする。
【０００８】
また、本発明に係わるアクセサリ装置は、情報をカメラに無線で送信する無線通信手段と、該無線通信手段の出力の大きさを変更する変更手段と、アクセサリ装置が前記カメラに装着されているか否かを検出する検出手段とを備え、該検出手段によりアクセサリ装置が前記カメラに装着されていることが検出された場合に、前記変更手段により前記無線通信手段の出力を小さく設定し、アクセサリ装置がカメラに装着されていないことが検出された場合に、前記変更手段により前記無線通信手段の出力を大きく設定することを特徴とする。
【０００９】
また、この発明に係わるアクセサリ装置において、前記アクセサリ装置はストロボ装置であることを特徴とする。
【００１０】
また、この発明に係わるアクセサリ装置において、前記無線通信手段は、電波を用いて通信を行なうことを特徴とする。
【００１１】
また、本発明に係わるカメラシステムは、情報をアクセサリ装置に無線で送信する第１の無線通信手段と、該第１の無線通信手段の出力の大きさを変更する第１の変更手段とを有するカメラと、情報を前記カメラに無線で送信する第２の無線通信手段と、該第２の無線通信手段の出力の大きさを変更する第２の変更手段とを有するアクセサリ装置と、前記カメラ及びアクセサリ装置の少なくとも一方に設けられ、前記アクセサリ装置が前記カメラに装着されているか否かを検出する検出手段とを備え、該検出手段により前記アクセサリ装置が前記カメラに装着されていることが検出された場合に、前記第１の変更手段により前記第１の無線通信手段の出力を小さく設定すると共に前記第２の変更手段により前記第２の無線通信手段の出力を小さく設定し、前記アクセサリ装置が前記カメラに装着されていないことが検出された場合に、前記第１の変更手段により前記第１の無線通信手段の出力を大きく設定すると共に前記第２の変更手段により前記第２の無線通信手段の出力を大きく設定することを特徴とする。
【００１２】
また、この発明に係わるカメラシステムにおいて、前記アクセサリ装置はストロボ装置であることを特徴とする。
【００１３】
また、この発明に係わるカメラシステムにおいて、前記無線通信手段は、電波を用いて通信を行なうことを特徴とする。
【００１４】
また、本発明に係わる情報通信方法は、カメラと該カメラに着脱可能なアクセサリ装置との間で無線で情報の通信を行なうシステムにおける情報通信方法であって、前記アクセサリ装置が前記カメラに装着されているか否かを検出する検出工程と、該検出工程において、前記アクセサリ装置が前記カメラに装着されていることが検出された場合に、前記通信のための信号の大きさを小さく設定し、前記アクセサリ装置が前記カメラに装着されていないことが検出された場合に、前記通信のための信号の大きさを大きく設定する設定工程と、を具備することを特徴とする。
【００１５】
また、この発明に係わる情報通信方法において、前記アクセサリ装置はストロボ装置であることを特徴とする。
【００１６】
また、この発明に係わる情報通信方法において、前記通信は、電波を用いて行なわれることを特徴とする。
【００１７】
また、本発明に係わるプログラムは、上記の情報通信方法をコンピュータに実行させることを特徴とする。
【００１８】
また、本発明に係わる記憶媒体は、上記のプログラムをコンピュータ読み取り可能に記憶したことを特徴とする。
【発明の効果】
【００１９】
本発明によれば、カメラとアクセサリ間の通信における消費電力を極力削減することが可能となる。
【発明を実施するための最良の形態】
【００２０】
以下、本発明の好適な実施形態について、添付図面を参照して詳細に説明する。
【００２１】
（第１の実施形態）
図１はカメラの送受信部の回路構成を表すブロック図であり、図２はストロボ装置の送受信部の回路構成を表すブロック図である。
【００２２】
図１において１０１はカメラの各部動作を制御するマイクロコンピュータ（以下カメラマイコン）、１０２はストロボ装置から送られた電波信号を受信するアンテナ、１０３は電波受信部で電波信号をデジタル信号に変換してカメラマイコン１０１に受信データを送信する。１０４はカメラマイコン１０１から送信されたデジタル信号を電波信号に変換する電波送信部、１０５はアンテナでパワーアンプ１０８又は１０９を介して電波送信部１０４から出力された信号を電波として送信する。１０６はストロボ装置がカメラに装着されているか否かを検出する装着検出スイッチで、ストロボ装置がカメラに装着されている場合にはスイッチＯＮとなりカメラマイコン１０１の入力端子ＳＷにはＬｏｗが入力される。カメラマイコン１０１の入力端子ＳＷはマイコン内部で電源電圧にプルアップされており、ストロボ装置がカメラに装着されていない場合にはスイッチＯＦＦとなりカメラマイコン１０１の入力端子ＳＷにはＨｉｇｈが入力される。１０７はパワーアンプ１０８，１０９に供給される電源であり、パワーアンプ１０８，１０９はそれぞれゲインが異なっており、１０８は大出力パワーアンプ、１０９は小出力パワーアンプである。１１０、１１１、１１２はカメラマイコン１０１によって制御される出力切換スイッチであり、カメラマイコン１０１の入力端子ＳＷのレベルによって、Ｌｏｗレベルの場合（ストロボ装置がカメラに装着されている場合）は小出力パワーアンプ１０９側に切り換えられ、Ｈｉｇｈレベルの場合（ストロボ装置がカメラに装着されていない場合）は大出力パワーアンプ１０８側に切り換えられる。
【００２３】
図２において２０１はストロボ装置の各部動作を制御するマイクロコンピュータ（以下ストロボマイコン）、２０２はカメラから送信された電波信号を受信するアンテナ、２０３は電波受信部で電波信号をデジタル信号に変換してストロボマイコン２０１に受信データを送信する。２０４はストロボマイコン２０１から送信されたデジタル信号を電波信号に変換する電波送信部、２０５はアンテナで電波送信部２０４の出力を電波として送信する。２１３は電源である電池、２１４は電池２１３の電圧を数百ボルトまで昇圧する昇圧部、２１５は昇圧部２１４で昇圧された電気エネルギーを蓄える主コンデンサ、２１６は放電管２１７に数キロボルトの高電圧を印加し、励起させるための既存のトリガ部である。放電管２１７は主コンデンサ２１５の電気エネルギーを光エネルギーに変換する。２１８は発光制御部で放電管２１７の発光を制御する。
【００２４】
上記構成においてストロボ装置の不図示の電源スイッチがＯＮされると、ストロボマイコン２０１は動作を開始し、昇圧部２１４の動作を開始させる。昇圧部２１４で昇圧された電気エネルギーは主コンデンサ２１５に蓄えられ、放電管２１７が発光可能な電圧になるまで主コンデンサ２１５に電気エネルギーが蓄えられる。
【００２５】
次に発光開始信号送信時の動作を図７のタイミングチャートおよび図８、図９のフローチャートを用いて説明する。
【００２６】
図７において（ａ）はカメラマイコン１０１より出力される通信開始信号であり、ＨｉｇｈレベルからＬｏｗレベルになることで発光開始信号送信動作が開始される。（ｂ−１）および（ｂ−２）はカメラからストロボ装置への電波送信信号であり、通信確認のためのリーダーパルス（Ａ）、チャンネル符号・発光モード・発光時間・発光量などのデータ信号（Ｂ）、発光開始信号（Ｃ）で構成される。（ｂ−１）はストロボ装置がカメラに装着されていない場合の波形、（ｂ−２）はストロボ装置がカメラに装着されている場合の波形である。（ｃ−１）はストロボ装置からカメラへの電波送信信号であり、カメラからのリーダーパルスに応答して出力する返信リーダーパルス（Ｄ）、主コンデンサ２１５に十分な電荷が蓄えられ発光可能状態であることを知らせる充完信号（Ｅ）で構成される。（ｄ）は（ｂ）の発光開始信号に同期したストロボ装置の発光波形である。
【００２７】
図８はカメラの動作を示すフローチャートである。
【００２８】
カメラマイコン１０１の通信開始信号により、装着検知スイッチ１０６の状態によってカメラマイコン１０１の入力端子ＳＷがＬｏｗレベル（装着スイッチＯＮ）またはＨｉｇｈレベル（装着スイッチＯＦＦ）に設定される。入力端子ＳＷのレベルによって（＃６０１）、入力端子ＳＷがＬｏｗレベルのときは出力切換スイッチ１１０、１１１、１１２を小出力パワーアンプ１０９側に切り換え、送信出力を小とし（＃６０２）、入力端子ＳＷがＨｉｇｈレベルのときは大出力パワーアンプ１０８側に切り換え、送信出力を大とする（＃６０３）。
【００２９】
次に通信確認のためのリーダーパルスを送信する（＃６０４）。所定時間内にストロボ装置からの返信リーダーパルスが受信確認されれば（＃６０５）、＃６０７に進むが、ストロボ装置が電源ＯＦＦ状態であったり、電波信号が届かない位置にあったりして所定時間内にストロボ装置からの返信リーダーパルスが受信確認されない場合は（＃６０６）、不図示のカメラの表示装置に通信できなかったことを示すエラー表示をして通信を終了する（＃６１１）。
【００３０】
＃６０７ではチャンネル符号・発光モード・発光時間・発光量などのデータ信号を送信し、所定時間内にストロボ装置からの充完信号が受信されれば（＃６０８）、＃６１０に進むが、所定時間内にストロボ装置からの充完信号が受信されない場合は（＃６０９）、不図示のカメラの表示装置にエラー表示をして通信を終了する（＃６１２）。＃６１０では発光開始信号を送信し通信を終了する。
【００３１】
図９はストロボ装置の動作を示すフローチャートである。
【００３２】
不図示の電源スイッチがＯＮされるとストロボ装置は通信可能状態となり、カメラからのリーダーパルスが受信されると（＃７０１）、通信確認のための返信リーダーパルスを送信する（＃７０２）。所定時間内にカメラからのデータ信号が受信されれば（＃７０３）、＃７０５に進むが、所定時間内にカメラからのデータ信号が受信されない場合は発光処理を行わずに次のリーダーパルスの受信待ちとする（＃７０４）。
【００３３】
＃７０５では主コンデンサに十分な電荷が蓄えられるまで待ってから充完信号を送信する（＃７０６）。所定時間内にカメラからの発光開始信号が受信されれば（＃７０７）、受信したデータに従った発光処理を行うが（＃７０９）、所定時間内にカメラからの発光開始信号が受信されない場合は発光処理を行わずに次のリーダーパルスの受信待ちとする（＃７０８）。
【００３４】
以上説明したように、ストロボ装置のカメラへの装着状態によってカメラの電波送信部の出力レベルを変化させ、ストロボ装置がカメラに装着されている状態では小さな出力レベルで通信をおこなっているので、消費電力を抑えることができる。
【００３５】
（第２の実施形態）
次に本発明の第２の実施形態について説明する。
【００３６】
図３はカメラの送受信部の回路構成を表すブロック図であり、図４はストロボ装置の送受信部の回路構成を表すブロック図である。
【００３７】
図３において３０１はカメラの各部動作を制御するマイクロコンピュータ（以下カメラマイコン）、３０２はストロボ装置から送られた電波信号を受信するアンテナ、３０３は電波受信部で電波信号をデジタル信号に変換してカメラマイコン３０１に受信データを送信する。３０４はカメラマイコン３０１から送信されたデジタル信号を電波信号に変換する電波送信部、３０５はアンテナで電波送信部３０４の出力を電波として送信する。
【００３８】
図４において４０１はストロボ装置の各部動作を制御するマイクロコンピュータ（以下ストロボマイコン）、４０２はカメラから送信された電波信号を受信するアンテナ、４０３は電波受信部で電波信号をデジタル信号に変換してストロボマイコン４０１に受信データを送信する。４０４はストロボマイコン４０１から送信されたデジタル信号を電波信号に変換する電波送信部、４０５はアンテナでパワーアンプ４０８又は４０９を介して電波送信部４０４から出力された信号を電波として送信する。４０６はストロボ装置がカメラに装着されているか否かを検出する装着検出スイッチでストロボ装置がカメラに装着されている場合にはスイッチＯＮとなりストロボマイコン４０１の入力端子ＳＷにはＬｏｗが入力される。ストロボマイコン４０１の入力端子ＳＷはマイコン内部で電源電圧にプルアップされており、ストロボ装置がカメラに装着されていない場合にはスイッチＯＦＦとなりストロボマイコン４０１の入力端子ＳＷにはＨｉｇｈが入力される。
【００３９】
４０７はパワーアンプ４０８，４０９に供給される電源であり、パワーアンプ４０８，４０９はそれぞれゲインが異なっており、４０８は大出力パワーアンプ、４０９は小出力パワーアンプである。４１０、４１１、４１２はストロボマイコン４０１によって制御される出力切換スイッチであり、ストロボマイコン４０１の入力端子ＳＷのレベルによって、Ｌｏｗレベルの場合（ストロボ装置がカメラに装着されている場合）は小出力パワーアンプ４０９側に切り換えられ、Ｈｉｇｈレベルの場合（ストロボ装置がカメラに装着されていない場合）は大出力パワーアンプ４０８側に切り換えられる。
【００４０】
４１３は電源である電池、４１４は電池４１３の電圧を数百ボルトまで昇圧する昇圧部、４１５は昇圧部４１４で昇圧された電気エネルギーを蓄える主コンデンサ、４１６は放電管４１７に数キロボルトの高電圧を印加し、励起させるための既存のトリガ部である。放電管４１７は主コンデンサ４１５の電気エネルギーを光エネルギーに変換する。４１８は発光制御部で放電管４１７の発光を制御する。
【００４１】
上記構成においてストロボ装置の不図示の電源スイッチがＯＮされると、ストロボマイコン４０１は動作を開始し、昇圧部４１４の動作を開始させる。昇圧部４１４で昇圧された電気エネルギーは主コンデンサ４１５に蓄えられ、放電管４１７が発光可能な電圧になるまで主コンデンサ４１５に電気エネルギーが蓄えられる。
【００４２】
次に発光開始信号送信時の動作を図７のタイミングチャートおよび図１０、図１１のフローチャートを用いて説明する。
【００４３】
図７において（ａ）はカメラマイコン３０１より出力される通信開始信号であり、ＨｉｇｈレベルからＬｏｗレベルになることで発光開始信号送信動作が開始される。（ｂ−１）はカメラからストロボ装置への電波送信信号であり、通信確認のためのリーダーパルス（Ａ）、チャンネル符号・発光モード・発光時間・発光量などのデータ信号（Ｂ）、発光開始信号（Ｃ）で構成される。（ｃ−１）および（ｃ−２）はストロボ装置からカメラへの電波送信信号であり、カメラからのリーダーパルスに応答して出力する返信リーダーパルス（Ｄ）、主コンデンサ４１５に十分な電荷が蓄えられ発光可能状態であることを知らせる充完信号（Ｅ）で構成される。（ｃ−１）がストロボ装置がカメラに装着されていない場合の波形、（ｃ−２）がストロボ装置がカメラに装着されている場合の波形である。（ｄ）は（ｂ）の発光開始信号に同期したストロボ装置の発光波形である。
【００４４】
図１０はカメラの動作を示すフローチャートである。
【００４５】
カメラマイコン３０１の通信開始信号により、通信確認のためのリーダーパルスを送信する（＃１００１）。所定時間内にストロボ装置からの返信リーダーパルスが受信確認されれば（＃１００２）、＃１００４に進むが、ストロボ装置が電源ＯＦＦ状態であったり、電波信号が届かない位置にあったりして所定時間内にストロボ装置からの返信リーダーパルスが受信確認されない場合は（＃１００３）、不図示のカメラの表示装置に通信できなかったことを示すエラー表示をして通信を終了する（＃１００８）。
【００４６】
＃１００４ではチャンネル符号・発光モード・発光時間・発光量などのデータ信号を送信し、所定時間内にストロボ装置からの充完信号が受信されれば（＃１００５）、＃１００７に進むが、所定時間内にストロボ装置からの充完信号が受信されない場合は（＃１００６）、不図示のカメラの表示装置にエラー表示をして通信を終了する（＃１００９）。＃１００７では発光開始信号を送信し通信を終了する。
【００４７】
図１１はストロボ装置の動作を示すフローチャートである。
【００４８】
不図示の電源スイッチがＯＮされるとストロボ装置は通信可能状態となり、カメラからのリーダーパルスが受信されると（＃１１０１）、装着検知スイッチ４０６の状態によってストロボマイコン４０１の入力端子ＳＷがＬｏｗレベル（装着スイッチＯＮ）またはＨｉｇｈレベル（装着スイッチＯＦＦ）に設定され、入力端子ＳＷのレベルによって（＃１１０２）、入力端子ＳＷがＬｏｗレベルのときは出力切換スイッチ４１０、４１１、４１２を小出力パワーアンプ４０９側に切り換え、送信出力を小とし（＃１１０３）、入力端子ＳＷがＨｉｇｈレベルのときは大出力パワーアンプ４０８側に切り換え、送信出力を大とする（＃１１０４）。
【００４９】
次に通信確認のための返信リーダーパルスを送信する（＃１１０５）。所定時間内にカメラからのデータ信号が受信されれば（＃１１０６）、＃１１０８に進むが、所定時間内にカメラからのデータ信号が受信されない場合は発光処理を行わずに次のリーダーパルスの受信待ちとする（＃１１０７）。
【００５０】
＃１１０８では主コンデンサに十分な電荷が蓄えられるまで待ってから充完信号を送信する（＃１１０９）。所定時間内にカメラからの発光開始信号が受信されれば（＃１１１０）、受信したデータに従った発光処理を行うが（＃１１１２）、所定時間内にカメラからの発光開始信号が受信されない場合は発光処理を行わずに次のリーダーパルスの受信待ちとする（＃１１１１）。
【００５１】
以上説明したように、ストロボ装置のカメラへの装着状態によってストロボ装置の電波送信部の出力レベルを変化させ、ストロボ装置がカメラに装着されている状態では小さな出力レベルで通信をおこなっているので、消費電力を抑えることができる。
【００５２】
（第３の実施形態）
次に本発明の第３の実施形態であるカメラシステムについて説明する。
【００５３】
本実施形態におけるカメラシステムを構成するカメラは第１の実施形態の図１のカメラと同じであり、カメラの通常動作も第１の実施形態と同じである。また本実施形態におけるカメラシステムを構成するストロボ装置は第２の実施形態の図４のストロボ装置において装着検知スイッチ４０６を取り除いたものであり（図５）、図４と共通部分の通常動作は第２の実施形態と同じである。
【００５４】
次に発光開始信号送信時の動作を図７のタイミングチャートおよび図８、図１２のフローチャートを用いて説明する。
【００５５】
図７において（ａ）はカメラマイコン１０１より出力される通信開始信号であり、ＨｉｇｈレベルからＬｏｗレベルになることで発光開始信号送信動作が開始される。（ｂ−１）および（ｂ−２）はカメラからストロボ装置への電波送信信号であり、通信確認のためのリーダーパルス（Ａ）、チャンネル符号・発光モード・発光時間・発光量などのデータ信号（Ｂ）、発光開始信号（Ｃ）で構成される。またリーダーパルス（Ａ）にはストロボ装置の電波送信出力レベルを指示する信号が含まれている。（ｂ−１）はストロボ装置がカメラに装着されていない場合の波形、（ｂ−２）はストロボ装置がカメラに装着されている場合の波形である。（ｃ−１）および（ｃ−２）はストロボ装置からカメラへの電波送信信号であり、カメラからのリーダーパルスに応答して出力する返信リーダーパルス（Ｄ）、主コンデンサ８１５に十分な電荷が蓄えられ発光可能状態であることを知らせる充完信号（Ｅ）で構成される。（ｃ−１）がストロボ装置がカメラに装着されていない場合の波形、（ｃ−２）がストロボ装置がカメラに装着されている場合の波形である。（ｄ）は（ｂ）の発光開始信号に同期したストロボ装置の発光波形である。
【００５６】
図８はカメラの動作を示すフローチャートであり、第１の実施形態と同じであるので省略するが、＃６０４にて送信されるリーダーパルスには＃６０２または＃６０３によって決定されたカメラ側の送信出力レベルと同じレベルで出力するようにストロボ装置へ指示する信号が含まれている。
【００５７】
図１２はストロボ装置の動作を示すフローチャートである。
【００５８】
不図示の電源スイッチがＯＮされるとストロボ装置は通信可能状態となり、カメラからのリーダーパルスが受信されると（＃１２０１）、リーダーパルスに含まれている電波送信出力レベル指示信号に応じて出力切換スイッチを大出力側または小出力側に切り換え（＃１２０２）、通信確認のための返信リーダーパルスを送信する（＃１２０３）。
【００５９】
所定時間内にカメラからのデータ信号が受信されれば（＃１２０４）、＃１２０６に進むが、所定時間内にカメラからのデータ信号が受信されない場合は発光処理を行わずに次のリーダーパルスの受信待ちとする（＃１２０５）。
【００６０】
＃１２０６では主コンデンサに十分な電荷が蓄えられるまで待ってから充完信号を送信する（＃１２０７）。所定時間内にカメラからの発光開始信号が受信されれば（＃１２０８）、受信したデータに従った発光処理を行うが（＃１２１０）、所定時間内にカメラからの発光開始信号が受信されない場合は発光処理を行わずに次のリーダーパルスの受信待ちとする（＃１２０９）。
【００６１】
以上説明したように、ストロボ装置のカメラへの装着状態によってカメラおよびストロボ装置の電波送信部の出力レベルを変化させ、ストロボ装置がカメラに装着されている状態では小さな出力レベルで通信をおこなっているので、消費電力を抑えることができる。
【００６２】
（第４の実施形態）
次に本発明の第４の実施形態であるカメラシステムについて説明する。
【００６３】
本実施形態におけるカメラシステムを構成するカメラは第１の実施形態の図１のカメラにおいて装着検知スイッチ１０６を取り除いたものであり（図６）、図１と共通部分の通常動作は第１の実施形態と同じである。また本実施形態におけるカメラシステムを構成するストロボ装置は第２の実施形態の図４のストロボ装置と同じであり、ストロボ装置の通常動作も第２の実施形態と同じである。
【００６４】
次に発光開始信号送信時の動作を図７のタイミングチャートおよび図１３、図１１のフローチャートを用いて説明する。
【００６５】
図７において（ａ）はカメラマイコン９０１より出力される通信開始信号であり、ＨｉｇｈレベルからＬｏｗレベルになることで発光開始信号送信動作が開始される。（ｂ−１）および（ｂ−３）はカメラからストロボ装置への電波送信信号であり、通信確認のためのリーダーパルス（Ａ）、チャンネル符号・発光モード・発光時間・発光量などのデータ信号（Ｂ）、発光開始信号（Ｃ）で構成される。（ｂ−１）はストロボ装置がカメラに装着されていない場合の波形、（ｂ−３）はストロボ装置がカメラに装着されている場合の波形である。（ｃ−１）および（ｃ−２）はストロボ装置からカメラへの電波送信信号であり、カメラからのリーダーパルスに応答して出力する返信リーダーパルス（Ｄ）、主コンデンサ４１５に十分な電荷が蓄えられ発光可能状態であることを知らせる充完信号（Ｅ）で構成される。また返信リーダーパルス（Ｄ）にはカメラの電波送信出力レベルを指示する信号が含まれている。（ｃ−１）がストロボ装置がカメラに装着されていない場合の波形、（ｃ−２）がストロボ装置がカメラに装着されている場合の波形である。（ｄ）は（ｂ）の発光開始信号に同期したストロボ装置の発光波形である。
【００６６】
図１３はカメラの動作を示すフローチャートである。
【００６７】
カメラマイコン９０１の通信開始信号により、通信確認のためのリーダーパルスを大出力で送信する（＃１３０１）。所定時間内にストロボ装置からの返信リーダーパルスが受信確認されれば（＃１３０２）、＃１３０４に進むが、ストロボ装置が電源ＯＦＦ状態であったり、電波信号が届かない位置にあったりして所定時間内にストロボ装置からの返信リーダーパルスが受信確認されない場合は（＃１３０３）、不図示のカメラの表示装置に通信できなかったことを示すエラー表示をして通信を終了する（＃１３０９）。
【００６８】
＃１３０４では返信リーダーパルスに含まれている電波送信出力レベル指示信号に応じて出力切換スイッチを大出力側または小出力側に切り換える。＃１３０５ではチャンネル符号・発光モード・発光時間・発光量などのデータ信号を送信し、所定時間内にストロボ装置からの充完信号が受信されれば（＃１３０６）、＃１３０８に進むが、所定時間内にストロボ装置からの充完信号が受信されない場合は（＃１３０７）、不図示のカメラの表示装置にエラー表示をして通信を終了する（＃１３１０）。＃１３０８では発光開始信号を送信し通信を終了する。
【００６９】
図１１はストロボ装置の動作を示すフローチャートであり、第２の実施形態と同じであるので省略するが、＃１１０５にて送信される返信リーダーパルスには＃１１０３または＃１１０４によって決定されたストロボ装置側の送信出力レベルと同じレベルで出力するようにカメラへ指示する信号（電波送信出力レベル指示信号）が含まれている。
【００７０】
以上説明したように、ストロボ装置のカメラへの装着状態によってストロボ装置およびカメラの電波送信部の出力レベルを変化させ、ストロボ装置がカメラに装着されている状態では小さな出力レベルで通信をおこなっているので、消費電力を抑えることができる。
【００７１】
（第５の実施形態）
次に本発明の第５の実施形態であるカメラシステムについて説明する。
【００７２】
本実施形態におけるカメラシステムを構成するカメラは第１の実施形態の図１のカメラと同じであり、ストロボ装置は第２の実施形態の図４のストロボ装置と同じである。またカメラの通常動作は第１の実施形態と同じであり、ストロボ装置の通常動作は第２の実施形態と同じである。
【００７３】
発光開始信号送信時の動作はカメラ側の動作は第１の実施形態と同じであり、ストロボ装置側の動作は第２の実施形態と同じであるので省略する。図７のタイミングチャートにおいて、（ｂ−１）、（ｂ−２）がカメラからストロボ装置への電波送信信号となり、（ｃ−１）、（ｃ−２）がストロボ装置からカメラへの電波送信信号となる。 （ｂ−１）および（ｃ−１）がストロボ装置がカメラに装着されていない場合の波形、（ｂ−２）および（ｃ−２）がストロボ装置がカメラに装着されている場合の波形である。
【００７４】
以上説明したように、ストロボ装置のカメラへの装着状態によってカメラおよびストロボ装置の電波送信部の出力レベルを変化させ、ストロボ装置がカメラに装着されている状態では小さな出力レベルで通信をおこなっているので、消費電力を抑えることができる。  また本発明の第１乃至第５の実施形態において、アクセサリとしてストロボ装置を例として説明したが、アクセサリとしてはストロボ装置に限定されるものではなく、カメラと無線通信をおこなう別のアクセサリであってもよい。
【００７５】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００７６】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００７７】
本発明を上記記憶媒体に適用する場合、その記憶媒体には、先に説明したフローチャートに対応するプログラムコードが格納されることになる。
【００７８】
以上説明したように、上記の実施形態によれば、アクセサリのカメラへの装着状態によってカメラまたはアクセサリ、もしくは両方の電波送信部の出力レベルを変化させ、アクセサリがカメラに装着されている状態では小さな出力レベルで通信をおこなっているので、消費電力を抑えた省エネカメラまたはアクセサリまたはカメラシステムを提供することができる。
【図面の簡単な説明】
【００７９】
【図１】本発明の第１の実施形態、第３の実施形態および第５の実施形態におけるカメラの送受信部のブロック図である。
【図２】本発明の第１の実施形態におけるストロボ装置の送受信部のブロック図である。
【図３】本発明の第２の実施形態におけるカメラの送受信部のブロック図である。
【図４】本発明の第２の実施形態、第４の実施形態および第５の実施形態におけるストロボ装置の送受信部のブロック図である。
【図５】本発明の第３の実施形態におけるストロボ装置の送受信部のブロック図である。
【図６】本発明の第４の実施形態におけるカメラの送受信部のブロック図である。
【図７】本発明の第１の実施形態、第２の実施形態、第３の実施形態、第４の実施形態および第５の実施形態における発光開始信号送信時の動作を表すタイミングチャートである。
【図８】本発明の第１の実施形態、第３の実施形態および第５の実施形態における発光開始信号送信時のカメラの動作を表すフローチャートである。
【図９】本発明の第１の実施形態における発光開始信号送信時のストロボ装置の動作を表すフローチャートである。
【図１０】本発明の第２の実施形態における発光開始信号送信時のカメラの動作を表すフローチャートである。
【図１１】本発明の第２の実施形態、第４の実施形態および第５の実施形態における発光開始信号送信時のストロボ装置の動作を表すフローチャートである。
【図１２】本発明の第３の実施形態における発光開始信号送信時のストロボ装置の動作を表すフローチャートである。
【図１３】本発明の第４の実施形態における発光開始信号送信時のカメラの動作を表すフローチャートである。
【符号の説明】
【００８０】
１０１、３０１、９０１  カメラマイコン
２０１、４０１、８０１  ストロボマイコン
１０６、４０６  ストロボ装着検知スイッチ
１０８、４０８、８０８、９０８  大出力パワーアンプ
１０９、４０９、８０９、９０９  小出力パワーアンプ
１１０〜１１２、４１０〜４１２、８１０〜８１２、９１０〜９１２  ゲイン切換スイッチ
【図１】
2005236376.tif 000003
【図２】
2005236376.tif 000004
【図３】
2005236376.tif 000005
【図４】
2005236376.tif 000006
【図５】
2005236376.tif 000007
【図６】
2005236376.tif 000008
【図７】
2005236376.tif 000009
【図８】
2005236376.tif 000010
【図９】
2005236376.tif 000011
【図１０】
2005236376.tif 000012
【図１１】
2005236376.tif 000013
【図１２】
2005236376.tif 000014
【図１３】
2005236376.tif 000015